(57)【要約】【課題】置き引きされたり、引ったくりされないように盗難防止用手段を設けた新規なバッグを提供する。【解決手段】軟質シートよりなるバッグ本体１に、該バッグ本体１を他の物に掛け止める掛け紐６を設けると共に、前記バッグ本体１を折り畳み係止可能としてある。【選択図】    図１
2004180964.tif 000002
【特許請求の範囲】
【請求項１】
軟質シートよりなるバッグ本体に、該バッグ本体を他の物に掛け止める掛け紐を設けると共に、前記バッグ本体を折り畳み係止可能としてあるバッグ。
【請求項２】
請求項１に記載のバッグであって、前記掛け紐が少なくとも一対設けてあるバッグ。
【請求項３】
請求項１又は２に記載のバッグであって、前記バッグ本体上部に前記掛け紐の一端を固定して設けてあり、該バッグ本体上部又は掛け紐に、該バッグ本体を折り畳み係止すると共に該バッグ本体を前記掛け紐によって他の物に掛け止めることができるようにしたファスナーを備えてなるバッグ。
【請求項４】
請求項３に記載のバッグであって、前記ファスナーがボタンと前記掛け紐の一端に設けたボタンホールであるバッグ。
【請求項５】
請求項１乃至４に記載のバッグであって、前記掛け紐がバッグ本体の両側面に夫々設けてなるバッグ。
【請求項６】
請求項５に記載のバッグであって、前記掛け紐の中間位置に前記ボタンを設けてあり、片面の前記掛け紐の前記ボタンホールに、他面の前記掛け紐の該ボタンを着脱可能としてあるバッグ。
【請求項７】
請求項１乃至６に記載のバッグであって、前記バッグ本体に、該バッグ本体を他の物に掛け締めて保持する締め紐を備えてなるバッグ。
【発明の詳細な説明】
【０００１】
【発明の属する技術分野】
本発明は、置き引き、引ったくり等の盗難防止を目的としたバッグに関する。
【０００２】
【従来の技術】
従来から軟質シートよりなる手提げ、肩掛け用等のバッグは知られている。
【０００３】
【０００４】
【発明が解決しようとする課題】
従来のバッグは、盗難防止用手段を設けてないから、放置しておくと置き引きされたり、あるいは自転車、バイク等の籠に入れておくと、引ったくりされ易いという課題があった。
そこで、本発明は、置き引きされたり、引ったくりされないように盗難防止用手段を設けた新規なバッグを提供する。
【０００５】
【課題を解決するための手段】
本発明は、請求項１に記載のように、軟質シートよりなるバッグ本体に、該バッグ本体を他の物に掛け止める掛け紐を設けると共に、前記バッグ本体を折り畳み係止可能としてあるバッグを提供するものである。
本発明によれば、バッグ本体に設けた掛け紐を自転車のハンドル等に掛け止めることで、持ち主がそのバッグを直接持っていない場合でも、置き引き、引ったくり等の盗難被害を少なくすることができ、また、バッグ本体が折り畳み係止可能であるから、内容物の量に応じてバッグのサイズを適宜調整することができると共に、不使用の際には、小嵩にすることができる。
【０００６】
また、本発明は、請求項２に記載のように、請求項１に記載のバッグであって、前記掛け紐が少なくとも一対設けてあるバッグを提供するものである。
本発明によれば、掛け紐を一対設けてあるから、自転車のハンドルにバッグを掛け止める場合、左右のハンドルに夫々掛け紐を掛け止めることができ、持ち主がバッグを直接持っていない場合でも、引ったくり等の盗難被害を少なくすることができる。
【０００７】
また、本発明は、請求項３に記載のように、請求項１又は２に記載のバッグであって、前記バッグ本体上部に前記掛け紐の一端を固定して設けてあり、該バッグ本体上部又は掛け紐に、該バッグ本体を折り畳み係止すると共に該バッグ本体を前記掛け紐によって他の物に掛け止めることができるようにしたファスナーを備えてなるバッグを提供するものである。
本発明によれば、掛け紐の一端をバッグ本体に固定することにより、掛け紐を他の物に掛け止めるだけでなく、バッグ本体を折り畳み係止することができるから、別にバッグ本体を折り畳み係止するための留め具を設ける場合に比べ、構造を簡素にして見栄えを良くすることができ、掛け紐をより有効に利用することができる。
【０００８】
また、本発明は、請求項４に記載のように、請求項３に記載のバッグであって、前記ファスナーがボタンと前記掛け紐の一端に設けたボタンホールであるバッグを提供するものである。
本発明によれば、ファスナーを着脱し易く且つ突発的な力に対して、外れ難くすることができる。
【０００９】
また、本発明は、請求項５に記載のように、請求項１乃至４に記載のバッグであって、前記掛け紐がバッグ本体の両側面に夫々設けてなるバッグを提供するものである。
本発明によれば、掛け紐が両側に夫々設けてあるので、どちらの面でも気にすることなく、バッグ本体を折り畳み係止すると共に他の物に掛け止めることができる。
【００１０】
また、本発明は、請求項６に記載のように、請求項５に記載のバッグであって、前記掛け紐の中間位置に前記ボタンを設けてあり、片面の前記掛け紐の前記ボタンホールに、他面の前記掛け紐の該ボタンを着脱可能としてあるバッグを提供するものである。
本発明によれば、掛け紐の中間位置にもボタンを設けてあるから、内容物の量に応じてバッグのサイズを適宜調整することができる。
【００１１】
また、本発明は、請求項７に記載のように、請求項１乃至６に記載のバッグであって、前記バッグ本体に、該バッグ本体を他の物に掛け締めて保持する締め紐を備えてなるバッグを提供するものである。
本発明によれば、締め紐を自転車のハンドル、手首等に掛け締めることで、置き引き、引ったくり等の盗難被害を確実に少なくすることができる。
【００１２】
【発明の実施の形態】
以下図示する好ましい一実施例により、本発明に係るバッグの実施の形態を説明する。
本発明の好ましい一実施例の形態を図示の手提げ及び肩掛け用のバッグにより説明する。図示する実施例において、１は底部２を硬質芯材で補強された四角形の底部２とし胴部３を角筒状とした軟質シートよりなるバッグ本体で、このバッグ本体１の上縁部にはスライドファスナー１５を設けてあり、該スライドファスナー１５は、バッグ本体１上縁部に設けた一対の歯列４と、該歯列４上をスライドして該歯列４を噛み合わせるスライダー１０と、該スライダー１０に設けた引手５とから構成されている。
【００１３】
また、図１乃至９の実施例では、バッグ本体１上部に該バッグ本体１を他の物に掛け止める一対の掛け紐６の一端を固定して縫付けてあり、バッグ本体１上部には、この掛け紐６を補強して固定する補強部７を設けてある。また、掛け紐６はバッグ本体１の両側面に夫々設けてある。さらに、バッグ本体１上部又は掛け紐６には、バッグ本体１を折り畳み係止すると共にバッグ本体１を掛け紐６によって他の物に掛け止めることができるようにしたファスナーを備えてある。
【００１４】
実施例の場合、このファスナーは、補強部７上及び掛け紐６の中間位置に夫々設けたボタン８ａ、８ｂと、掛け紐６の自由端に設けたボタンホール９とからなり、片面の掛け紐６のボタンホール９に、他面の掛け紐６のボタン８ａ又は８ｂを着脱可能としてある。また、他の実施例として、このファスナーには、面ファスナー、凹凸ホック等を用いることもできる。
１１は、手提げ及び肩掛け用の手提げ兼肩掛け紐であり、２５、２６はバッグ本体１を折り畳むための折り代である。
【００１５】
図２に示す１３は、自転車のハンドルであり、このハンドル１３に本発明バッグを掛け止めてあり、ハンドル１３から容易に該バッグを取り外せないようにしてある。図２に示すように自転車のハンドル１３に本発明バッグを掛け止めるには、左右ハンドル１３に掛け紐６の下端を下から上に掛け回し、ボタン８ａにボタンホール９を係合してバッグ本体１を掛け止める。
なお、掛け紐６を掛け回す物は、自転車のハンドル以外に机又は椅子の支持脚等でもよい。
【００１６】
図４及び図７に、本発明バッグを掛け紐６を使用して折り畳み係止してある状態を示してある。
本発明バッグを図４に示すような形状に折り畳むには、先ず図１に示す状態のバッグを折り代２５、２６に沿って、バッグ本体１を潰すように折り畳み、底部２を基板として掛け紐６ａと共にバッグ本体１の下方から上方へ２回折り畳んで、バッグを図３に示すような折り畳み状態にする。次に、この折り畳み状態を係止して維持するために、片面側の掛け紐６ｂを片面側から他面側に掛け回し、ボタンホール９ｂをボタン８ａに係合して、図４に示すような折り畳み状態を維持させる。
【００１７】
また、本発明バッグを図７に示すような形状に折り畳むには、先ず図１に示す状態のバッグを折り代２５、２６に沿って、バッグ本体１を潰すように折り畳み、図５に示すように、掛け紐６ａを１回折り畳み、ボタンホール９ａをボタン８ａに係合した状態にする。次に、底部２を基板として掛け紐６ａの内側で、バッグ本体１の下方から上方に１回折り畳み、バッグを図６に示すような折り畳み状態にする。次に、この折り畳み状態を係止して維持するために、片面側の掛け紐６ｂを片面側から他面側に掛け回し、ボタンホール９ｂをボタン８ｂに係合して、図７に示すような折り畳み状態を維持させる。
なお、図４及び図７に示すバッグ本体１の折り畳み状態で、該バッグ本体１内部に物を入れることも勿論可能であり、図７に示すように、バッグ本体１をボタン８ｂ及びボタンホール９ｂで折り畳み係止した状態で、図２に示した実施例のように、掛け紐６ａを自転車のハンドル１３に掛け回し、図７に示すボタン８ａにボタンホール９ａを係合してバッグ本体１を掛け止めることも可能である。
【００１８】
また、図８には、バッグ本体１上部に、該バッグ本体１を手首、自転車のハンドル、机、椅子などの他の物に掛け締めて保持する締め紐１２の両端を固定してＵ字型に設けてあり、この締め紐１２上には、締め紐１２上をスライドするスライダー１７が設けてある。なお、このスライダー１７には、締め紐１２を貫通する孔１４を２ヵ所設けてあり、この孔１４により、スライダー１７が締め紐１２上をスライドして、締め紐１２の輪の大きさを適宜調節できるようにしてある。
【００１９】
また、図９に他の実施例を示してあり、図中符号１６は底部１８を硬質芯材で補強された四角形の底部１８とし胴部１９を角筒状とした軟質シートよりなるバッグ本体で、このバッグ本体１６の上縁部には、図示しないが図１乃至９と同様に、スライドファスナーを設けてある。
また、この実施例では、バッグ本体１６上部及び底部１８に該バッグ本体１を他の物に掛け止める一対の掛け紐２０の両端を固定して縫着してあり、バッグ本体１上部には、この掛け紐２０を補強して固定する補強部２１を設けてある。２４は、手提げ及び肩掛け用の手提げ兼肩掛け紐であり、２７、２８はバッグ本体１を折り畳むための折り代である。また、バッグ本体上部に、バッグ本体１６を折り畳み係止する凸ホック２３が複数併設してあり、この凸ホック２３を底部１８の一端側に複数併設した凹ホック２２に嵌合するようにしてある。
【００２０】
バッグ本体１６を図１０に示すような形状に折り畳むには、先ず図９に示す状態のバッグ本体１６を折り代２７、２８に沿って、バッグ本体１６を潰すように折り畳む。次に、掛け紐２０と共にバッグ本体１６を半分に折り畳んで、凸ホック２３を凹ホック２２に嵌合し、バッグ本体１６を図１０に示すような折り畳み状態にして維持させる。
この図９に示す実施例の場合でも、図２に示すバッグの掛け止め状態と同様に、掛け紐２０を自転車のハンドルに掛け止めることで、ハンドルから容易にバッグを取り外せないようにすることもできる。
【００２１】
なお、上記各実施例のバッグ本体１、１６、掛け紐６、２０、補強部７、２１及び手提げ兼肩掛け紐１１、２４は、撥水加工をしてあるレザー、フェルト、綿などで構成してあることが好ましく、バッグ本体１、１６の裏地は、ボア、フェルト、ポリエステルその他化学繊維などで構成してある。
【００２２】
【発明の効果】
以上の通り、本発明に係るバッグによれば、請求項１に記載のように、軟質シートよりなるバッグ本体に、該バッグ本体を他の物に掛け止める掛け紐を設けると共に、前記バッグ本体を折り畳み係止可能としてある構成を有することにより、バッグ本体に設けた掛け紐を自転車のハンドル等に掛け止めることで、持ち主がそのバッグを直接持っていない場合でも、置き引き、引ったくり等の盗難被害を少なくすることができ、また、バッグ本体が折り畳み係止可能であるから、内容物の量に応じてバッグのサイズを適宜調整することができると共に、不使用の際には、小嵩にすることができる効果がある。
【００２３】
また、本発明は、請求項２に記載のように、請求項１に記載のバッグであって、前記掛け紐が少なくとも一対設けてある構成を有することにより、掛け紐を一対設けてあるから、自転車のハンドルにバッグを掛け止める場合、左右のハンドルに夫々掛け紐を掛け止めることができ、持ち主がバッグを直接持っていない場合でも、引ったくり等の盗難被害を少なくすることができる効果がある。
【００２４】
また、本発明は、請求項３に記載のように、請求項１又は２に記載のバッグであって、前記バッグ本体上部に前記掛け紐の一端を固定して設けてあり、該バッグ本体上部又は掛け紐に、該バッグ本体を折り畳み係止すると共に該バッグ本体を前記掛け紐によって他の物に掛け止めることができるようにしたファスナーを備えてなる構成を有することにより、掛け紐の一端をバッグ本体に固定することにより、掛け紐を他の物に掛け止めるだけでなく、バッグ本体を折り畳み係止することができるから、別にバッグ本体を折り畳み係止するための留め具を設ける場合に比べ、構造を簡素にして見栄えを良くすることができ、掛け紐をより有効に利用することができる効果がある。
【００２５】
また、本発明は、請求項４に記載のように、請求項３に記載のバッグであって、前記ファスナーがボタンと前記掛け紐の一端に設けたボタンホールである構成を有することにより、ファスナーを着脱し易く且つ突発的な力に対して、外れ難くすることができる効果がある。
【００２６】
また、本発明は、請求項５に記載のように、請求項１乃至４に記載のバッグであって、前記掛け紐がバッグ本体の両側面に夫々設けてなる構成を有することにより、掛け紐が両側に夫々設けてあるので、どちらの面でも気にすることなく、バッグ本体を折り畳み係止すると共に他の物に掛け止めることができる効果がある。
【００２７】
また、本発明は、請求項６に記載のように、請求項５に記載のバッグであって、前記掛け紐の中間位置に前記ボタンを設けてあり、片面の前記掛け紐の前記ボタンホールに、他面の前記掛け紐の該ボタンを着脱可能としてある構成を有することにより、掛け紐の中間位置にもボタンを設けてあるから、内容物の量に応じてバッグのサイズを適宜調整することができる効果がある。
【００２８】
また、本発明は、請求項７に記載のように、請求項１乃至６に記載のバッグであって、前記バッグ本体に、該バッグ本体を他の物に掛け締めて保持する締め紐を備えてなる構成を有することにより、締め紐を自転車のハンドル、持ち主の手首等に掛け締めることで、置き引き、引ったくり等の盗難被害を確実に少なくすることができる効果がある。
【図面の簡単な説明】
【図１】本発明に係るバッグの好ましい一実施例の斜視図である。
【図２】図１の実施例のバッグを自転車のハンドルに掛け止めた状態を示した斜視図である。
【図３】同じく図１に示す一実施例の折り畳んだ状態の斜視図である。
【図４】同じく一実施例の折り畳み係止状態を示した斜視図である。
【図５】同じく一実施例の掛け紐の折り畳み状態を示した斜視図である。
【図６】同じく一実施例の別の折り畳み状態を示した斜視図である。
【図７】同じく一実施例の別の折り畳み係止状態を示した斜視図である。
【図８】上記一実施例に締め紐を付けた実施例の斜視図である。
【図９】本発明に係るバッグの別の実施例の斜視図である。
【図１０】図９に示す別の実施例の折り畳み状態の斜視図である。
【符号の説明】
１    バッグ本体
２    底部
３    胴部
４    歯列
５    引手
６    掛け紐
６ａ  掛け紐
６ｂ  掛け紐
７    補強部
８ａ  ボタン
８ｂ  ボタン
９    ボタンホール
９ａ  ボタンホール
９ｂ  ボタンホール
１０  スライダー
１１  手提げ兼肩掛け紐
１２  締め紐
１３  ハンドル
１４  孔
１５  スライドファスナー
１６  バッグ本体
１７  スライダー
１８  底部
１９  胴部
２０  掛け紐
２１  補強部
２２  凹ホック
２３  凸ホック
２４  手提げ兼肩掛け紐
２５  折り代
２６  折り代
２７  折り代
２８  折り代
【図１】
2004180964.tif 000003
【図２】
2004180964.tif 000004
【図３】
2004180964.tif 000005
【図４】
2004180964.tif 000006
【図５】
2004180964.tif 000007
【図６】
2004180964.tif 000008
【図７】
2004180964.tif 000009
【図８】
2004180964.tif 000010
【図９】
2004180964.tif 000011
【図１０】
2004180964.tif 000012